(57)【要約】      （修正有）【課題】暗所でも興趣性のあるおみくじを提供する。【解決手段】シート状の本体１１を有するおみくじ１であって、本体１１は長方形に形成され、少なくとも一部に蓄光材が塗布されている。【選択図】図１
0003230940.tif 000002
【実用新案登録請求の範囲】
【請求項１】
シート状のおみくじであって、蓄光材が塗布されている、おみくじ。
【請求項２】
請求項１に記載されたおみくじであって、長方形に形成され、全体が発光する、おみくじ。
【請求項３】
請求項１又は２に記載されたおみくじであって、
長手方向に直交するよう折り畳んだ状態で、透明の包装体に内包される、おみくじ。
【考案の詳細な説明】
【技術分野】
【０００１】
本考案は、おみくじに関する。
【背景技術】
【０００２】
寺社等で授与されるおみくじは、内容を参照した後、寺社内の結び処に結び付けたり、財布等に入れて持ち歩いたりする。
【０００３】
特許文献１には、おみくじに関する技術が開示されている。同文献の段落〔００１３〕には、「御守おみくじ１は、図３〜５に示すように、託宣が印刷された帯状用紙１０を託宣の印刷面１１を内側にして、折り重ねて星形中空体に形成されており、該中空体の表面は託宣の非印刷面１２、すなわち託宣の印刷面１１の裏側で形成されている。」と記載されている。また、同文献の段落〔００１８〕には、「託宣の非印刷面１２はおみくじの外側表面となるために、この面を光輝性のあるインキの金属光沢色インキで印刷着色することにより、星のイメージを彷彿させることが好ましい。色は緑、青、赤、金、銀など特に限定されないが、きらきらと輝く金属光沢色に着色できるインキであればよい。」と記載されている。
【先行技術文献】
【特許文献】
【０００４】
【特許文献１】実用新案登録第３１６９５３６号公報
【考案の概要】
【考案が解決しようとする課題】
【０００５】
一般的なおみくじは白色であって、寺社内に結び付けられた様子は趣があるが、より興趣性を向上させるおみくじの普及が望まれる。
【０００６】
特許文献１に開示されたおみくじは、夜間など暗所において興趣性を生じさせるものではない。
【０００７】
本考案は、上記の点に鑑みてなされたものであって、暗所でも興趣性のあるおみくじの提供を目的とする。
【課題を解決するための手段】
【０００８】
本願は、上記課題の少なくとも一部を解決する手段を複数含んでいるが、その例を挙げるならば、以下の通りである。
【０００９】
上記課題を解決するため、本考案の一態様に係るおみくじは、シート状のおみくじであって、蓄光材が塗布されている。
【００１０】
前記おみくじは、長方形に形成され、全体が発光してもよい。
【００１１】
前記おみくじは、長手方向に直交するよう折り畳んだ状態で、透明の包装体に内包されてもよい。
【考案の効果】
【００１２】
本考案によれば、暗所でも興趣性のあるおみくじを提供することができる。
【００１３】
上記した以外の課題、構成、及び効果は、以下の実施形態の説明により明らかにされる。
【図面の簡単な説明】
【００１４】
【図１】おみくじの外観の一例を示す図である。図１（Ａ）は、本体の外観の一例を示し、図１（Ｂ）は、おみくじの全体の外観の一例を示す。
【図２】複数のおみくじの本体の使用態様の一例を示す図である。
【考案を実施するための形態】
【００１５】
以下、図面に基づいて本考案の実施形態の例を説明する。
【００１６】
図１は、おみくじ１の外観の一例を示す図である。図１（Ａ）は、本体１１の外観の一例を示し、図１（Ｂ）は、おみくじ１の全体の外観の一例を示す。おみくじ１は、寺社等で授与されるくじであるが、授与元は寺社に限定されるものではない。
【００１７】
本実施形態におけるおみくじ１は、本体１１と、包装体１２とを有する。本体１１は、シート状であって、文字が記載される。例えば本体１１には、「大吉」、「吉」、「中吉」、「小吉」、「凶」など、運勢を一言で表した吉凶や、運勢の説明等が記載されている。
【００１８】
本体１１は、例えば紙や、シート状に形成した樹脂、又はシート状に織った布等である。本体１１には、蓄光材（蓄光顔料ともいう）が塗布されている。一例として、本体１１には、蓄光材を含有する印刷インクにより、本体１１の全体が蓄光及び発光するよう印刷されている。なお、本体１１は、表面全体が蓄光材を含む印刷インクにより覆いつくされるよう印刷されていてもよいし、本体１１全体に、蓄光材を含む印刷インクにより印刷される地模様が配置されていてもよい。また、本体１１の一部に、蓄光材を含む印刷インクにより印刷されるモチーフが配置されているものであってもよい。
【００１９】
また、本体１１は、蓄光材を用いた糸を用いた織物であってもよい。この場合においても、本体１１は、表面全体が光るよう全体的に蓄光材を用いた糸が配置されていてもよいし、地模様の部分が光るよう形成されていてもよいし、モチーフの部分が光る、又はモチーフ以外の部分が光ってモチーフが浮き出るよう形成されていてもよい。
【００２０】
１つのおみくじ１に一色の蓄光材を塗布する場合、複数のおみくじ１は異なる色が塗布されていてもよい。各々のおみくじ１に異なる色を塗布することにより、くじ引きの際の興趣性が向上する。なお、１つのおみくじ１に複数の色の蓄光材を塗布してもよい。その場合においても、複数のおみくじ１に塗布される蓄光材は、各々異なる色であってもよい。付言すれば、同じ寺社等で授与される複数のおみくじ１について、各々異なる色が塗布される場合においても、同じ色が塗布されるおみくじ１が存在することを妨げるものではない。
【００２１】
例えば、本体１１の地色と、文字を記載した部分とに異なる色の蓄光材を塗布することができる。また、文字自体を蓄光材を用いた印刷インクで印刷してもよい。
【００２２】
本体１１は、結び処に結び付けたり、折り畳んで携帯したりしやすいよう、長方形に形成され、長手方向に直交するよう折り畳まれる。図１（Ａ）に示す本体１１を、長手方向に直交する点線部分で折り畳むと、図１（Ｂ）に示す状態になる。
【００２３】
包装体１２は、折り畳んだ本体１１を内包するものであって、本体１１の一部が視認できるよう、透明な材料で形成される。包装体１２は、例えば樹脂等のフィルムにより形成される。図１（Ｂ）は、包装体１２に内包された本体１１に記載された「おみくじ」の文字が、包装体１２越しに透けている様子のおみくじ１を示す。
【００２４】
包装体１２は、本体１１の取り出しが容易なよう開口していてもよいし、授与時に密閉されていてもよい。なお、包装体１２は透過性を有するものであればよく、着色されていてもよい。
【００２５】
図２は、複数のおみくじ１の本体１１の使用態様の一例を示す図である。複数の本体１１ａ・１１ｂ・１１ｃ・１１ｄ・１１ｅは、各々異なる色の蓄光材が塗布されている。本体１１ａ・１１ｂ・１１ｃ・１１ｄ・１１ｅは、各々使用者により結び処に結び付けられている。
【００２６】
図２に示すように、夜間において、本体１１ａ・１１ｂ・１１ｃ・１１ｄ・１１ｅは各々異なる色に光り、見ている者を楽しませる。また、夜間に結び処の存在を認識させることができ、結び処への予期しない衝突等の事故を防ぐことができるだけでなく、周囲を照らすことにより、防犯にも有効である。
【００２７】
また、おみくじ１を財布等に入れて持ち歩く場合においても、カラフルに着色されているため、興趣性が向上する。
【００２８】
以上、本考案に係る各実施形態及び変形例の説明を行ってきたが、本考案は、上記した実施形態の一例に限定されるものではなく、様々な変形例が含まれる。例えば、上記した実施形態の一例は、本考案を分かり易くするために詳細に説明したものであり、本考案は、ここで説明した全ての構成を備えるものに限定されない。また、ある実施形態の一例の構成の一部を他の一例の構成に置き換えることが可能である。また、ある実施形態の一例の構成に他の一例の構成を加えることも可能である。また、各実施形態の一例の構成の一部について、他の構成の追加・削除・置換をすることもできる。
【符号の説明】
【００２９】
１：おみくじ、１１：本体、１２：包装体
【図１】
0003230940.tif 000003
【図２】
0003230940.tif 000004
【手続補正書】
【提出日】令和2年12月23日(2020.12.23)
【手続補正１】
【補正対象書類名】実用新案登録請求の範囲
【補正対象項目名】全文
【補正方法】変更
【補正の内容】
【実用新案登録請求の範囲】
【請求項１】
シート状のおみくじであって、長方形に形成され、少なくとも一部に蓄光材が塗布されている、おみくじ。
【請求項２】
請求項１に記載されたおみくじであって、全体が発光する、おみくじ。
【請求項３】
請求項１又は２に記載されたおみくじであって、
長手方向に直交するよう折り畳んだ状態で、透明の包装体に内包される、おみくじ。
【手続補正２】
【補正対象書類名】明細書
【補正対象項目名】０００９
【補正方法】変更
【補正の内容】
【０００９】
上記課題を解決するため、本考案の一態様に係るおみくじは、シート状のおみくじであって、長方形に形成され、少なくとも一部に蓄光材が塗布されている。
【手続補正３】
【補正対象書類名】明細書
【補正対象項目名】００１０
【補正方法】変更
【補正の内容】
【００１０】
前記おみくじは、全体が発光してもよい。